(57)【要約】【構成】ディスク装置１０はディスク２２を含み、信号の記録に際しては、２段階の記録パワーＰｈおよびＰｍでレーザダイオード２０が駆動される。たとえば、検査パターン１に従う記録マークおよび検査パターン２に従う記録マークがディスク２２の所定領域に記録される。その後、当該２つの記録マークは再生され、各再生信号についての変調度が検出される。この変調度が互いに等し場合には、レーザパワーに依存せず、常に一定な変調度が得られると判断され、そのときのレーザパワーが最適パワーに決定される。一方、等しくなければ、第２のレーザパワーを補正して、検査パターン１および検査パターン２を記録再生して得られる変調度と先の変調度とから最適なレーザパワーが決定される。【効果】ライトストラテジに拘わらず最適なレーザパワーを個々のディスクに対して設定することができる。【選択図】　図１
2004110995.tif 000002
【特許請求の範囲】
【請求項１】
レーザダイオードを第１および第２のレーザパワーで駆動して光ピックアップから照射されるレーザ光によって、ディスクに信号を記録するディスク再生装置において、
前記レーザダイオードを第１所定レーザパワーおよび第２所定レーザパワーで駆動して、前記ディスクの所定領域に第１パターンに従う第１記録マークおよび前記第１パターンとは異なる第２パターンに従う第２記録マークを記録する第１マーク記録手段、
前記第１マーク記録手段によって記録された前記第１記録マークおよび前記第２記録マークを再生する第１マーク再生手段、
前記第１マーク再生手段によって再生された前記第１記録マークに対応する第１再生信号の第１変調度を検出する第１検出手段、
前記第２記録マークに対応する第２再生信号の第２変調度を検出する第２検出手段、
前記第１変調度と前記第２変調度とが等しいかどうかを判別する第１判別手段、および
前記第１判別手段によって前記第１変調度と前記第２変調度とが等しいと判別されたとき、前記第１所定レーザパワーおよび前記第２所定レーザパワーを前記最適レーザパワーに決定する、ディスク装置。
【請求項２】
前記決定手段は、前記第１変調度と前記第２変調度とが等しくないとき前記第１変調度と前記第２変調度との大きさを比較する比較手段、および前記比較手段の比較結果に基づいて前記第２所定レーザパワーを補正して補正レーザパワーを設定する設定手段、前記第１所定レーザパワーと前記補正レーザパワーとによって前記第１記録マークおよび前記第２記録マークを前記ディスクの所定領域に記録する第２マーク記録手段、前記第２マーク記録手段によって記録された前記第１記録マークおよび前記第２記録マークを再生する第２マーク再生手段、前記第２マーク再生手段によって再生された前記第１記録マークに対応する第３再生信号の第３変調度を検出する第３検出手段、前記第２マーク再生手段によって再生された前記第２記録マークに対応する第４再生信号の第４変調度を検出する第４検出手段、前記第１〜第４変調度に基づいて前記最適レーザパワーを決定する最適パワー決定手段をさらに含む、請求項１記載のディスク装置。
【請求項３】
前記最適パワー決定手段は、前記第１所定レーザパワーを固定した場合における、前記第２所定レーザパワーおよび前記補正レーザパワーに対する前記第１〜第４変調度を２次元座標上にプロットし、前記第１変調度および第３変調度を結ぶ第１直線と前記第２変調度および前記第４変調度を結ぶ第２直線との交点が示すレーザパワーを前記第２のレーザパワーの最適レーザパワーに決定する、請求項２記載のディスク装置。
【請求項４】
前記第１パターンおよび前記第２パターンは、前記第１所定レーザパワーのみで記録される第１マークと前記第１マークの第１マーク長と同じ長さの第１スペース、および前記第１所定レーザパワーと前記第２所定レーザパワーとで記録される前記第１マーク長よりも長い第２マークと前記第２マークの第２マーク長と同じ長さの第２スペースを含み、
前記第１マーク、前記第１スペース、前記第２マークおよび前記第２スペースの出現頻度は同じで互いに異なる配列にした、請求項１ないし３のいずれかに記載のディスク装置。
【請求項５】
前記第１パターンは前記第１スペースの直前に前記第２マークを配列し、前記第２パターンは前記第１スペースの直前に前記第１マークを配列するようにした、請求項４記載のディスク装置。
【発明の詳細な説明】
【０００１】
【産業上の利用分野】
この発明はディスク装置に関し、特にたとえば、レーザダイオードを第１および第２のレーザパワーで駆動して光ピックアップから照射されるレーザ光によって、ディスクに信号を記録する、ディスク装置に関する。
【０００２】
【従来の技術】
従来のこの種のディスク装置の一例が特許文献１に開示される。この従来技術の記録再生装置では、ＲＦ信号に基づいてジッタを計測し、ジッタが最小となる記録パワーを最適記録パワー値として決定するものである。
【０００３】
【特許文献１】
特開２０００−１３７９１８号（第４，５頁，第４図）
【０００４】
【発明が解決しようとする課題】
これらの従来技術では、ジッタを計測するための回路を別途設ける必要があり、装置のコストアップを招いていた。また、このような場合には、ディスクに予め記録されているライトストラテジから最適な記録パワーを得ることは可能であるが、このライトストラテジは規格書に定義された光学系並びにレーザ波長を有した光ピックアップ装置によって記録した際の最適記録条件であり、実際に市販等されるドライブ装置（光ピックアップ装置）は規格書に定義される光学系等とは異なるため、最適な記録パワーで記録されているとは限らなかった。
【０００５】
さらに言えば、通常、製造元（メーカ）はドライブ装置を製品化する前に各社のディスクの最適なライトストラテジを実験により取得し、最適な記録条件をドライブ装置に記録するようにしてあるが、当該ドライブ装置が販売された後に、販売されたディスクについては、最適な記録条件が記憶されておらず、同一メーカの過去のディスクについてのライトストラテジを用いていた。また、新製品のディスクについては、ディスクに記録されているライトストラテジから記録条件を取得する必要があった。このため、記録特性の劣化は免れなかった。
【０００６】
それゆえに、この発明の主たる目的は、様々なディスクに対して最適な記録パワーを設定できる、ディスク装置を提供することである。
【０００７】
【課題を解決するための手段】
この発明は、レーザダイオードを第１および第２のレーザパワーで駆動して光ピックアップから照射されるレーザ光によって、ディスクに信号を記録するディスク再生装置において、レーザダイオードを第１所定レーザパワーおよび第２所定レーザパワーで駆動して、ディスクの所定領域に第１パターンに従う第１記録マークおよび第１パターンとは異なる第２パターンに従う第２記録マークを記録する第１マーク記録手段、第１マーク記録手段によって記録された第１記録マークおよび第２記録マークを再生する第１マーク再生手段、第１マーク再生手段によって再生された第１記録マークに対応する第１再生信号の第１変調度を検出する第１検出手段、第２記録マークに対応する第２再生信号の第２変調度を検出する第２検出手段、第１変調度と第２変調度とが等しいかどうかを判別する第１判別手段、および第１判別手段によって第１変調度と第２変調度とが等しいと判別されたとき、第１所定レーザパワーおよび第２所定レーザパワーを最適レーザパワーに決定する、ディスク装置である。
【０００８】
【作用】
ディスク装置には、ＤＶＤ−Ｒ／ＲＷのようなディスクが装着され、たとえば、信号の記録に際しては、第１および第２のレーザパワーでレーザダイオードが駆動される。つまり、レーザダイオードは２段階のパワーで駆動される。たとえば、信号の記録に先立って、マーク記録手段は、レーザダイオードを第１所定レーザパワーおよび第２所定レーザパワーで第１パターンに従う第１記録マークおよび第２パターンに従う第２記録マークをディスクの所定領域で異なる位置（アドレス）に記録する。また、マーク再生手段は、マーク記録手段によって記録された第１記録マークおよび第２記録マークをそれぞれ再生し、再生した結果得られる第１再生信号の第１変調度および第２再生信号の第２変調度が検出される。検出された第１変調度および第２変調度は、第１判別手段によって互いに等しい或いは略等しいかどうかを判別される。判別した結果、互いに等し場合には、レーザパワーに依存せず、常に一定な変調度が得られると判断され、第１所定レーザパワーおよび第２所定レーザパワーがそれぞれ第１のレーザパワーおよび第２のレーザパワーの最適レーザパワーに決定される。
【０００９】
ただし、第１変調度と第２変調度とが等しくない場合には、第２所定レーザパワーが補正され、第１所定レーザパワーおよび補正レーザパワーによって、第１パターンに従う第１記録マークおよび第２パターンに従う第２記録マークがディスクの所定領域に記録される。つまり、第２のレーザパワーを変えて上述のように、第１パターンおよび第２パターンについての変調度（第３変調度および第４変調度）を検出するのである。そして、第１変調度〜第４変調度に基づいて最適パワーを決定するのである。
【００１０】
具体的には、最初に得られた第１変調度および第２変調度、第１所定レーザパワーを固定し第２所定レーザパワーを補正レーザパワーにした場合に得られた第３変調度および第４変調度を、２次元座標上にプロットし、第１パターンについて得られた第１変調度および第３変調度を直線で結び、第２パターンについて得られた第２変調度および第４変調度を直線で結ぶ。そして、２つの直線が交わる交点が、一定な変調度が得られる状態と判断し、そのときのレーザパワーを第２のレーザパワーの最適パワーと決定するのである。このように、第１のレーザパワーを固定した場合の最適な第２のレーザパワーを決定することにより、第１のレーザパワーと第２のレーザパワーとの最適な比率を求めることができる。その後、ＯＰＣ（Ｏｐｔｉｍｕｍ　Ｐｏｗｅｒ　Ｃｏｎｔｒｏｌ）　処理が施され、最適な第１のレーザパワーが決定されると、先に求めた比率に従って第２のレーザパワーを最適な値に設定することができるのである。
【００１１】
また、第１パターンおよび前記第２パターンは、第１所定レーザパワーのみで記録される第１マークと第１マークの第１マーク長と同じ長さの第１スペースを含み、さらに、第１所定レーザパワーと第２所定レーザパワーとで記録される第１マーク長よりも長い第２マークと第２マークの第２マーク長と同じ長さの第２スペースを含んでいる。ただし、第１パターンおよび第２パターンでは、第１マーク、第１スペース、第２マークおよび第２スペースのそれぞの出現頻度（個数）は同じであるが、互いに異なる順番で配列される。
【００１２】
たとえば、第１パターンでは第１スペースの直前に第２マークが配列され、第２パターンでは第１スペースの直前に第１マークが配列される。
【００１３】
なお、実施例においては、第１パターン（検査パターン１）は、「１１Ｍ−３Ｓ−４Ｍ−４Ｓ−３Ｍ−１１Ｓ」のように配列され、第２パターン（検査パターン２）は、「１１Ｍ−４Ｓ−３Ｍ−３Ｓ−４Ｍ−１１Ｓ」のように配列される。ただし、Ｍはマークであり、Ｓはスペースである。また、第１マークは３Ｍであり、第１スペースは３Ｓであり、第２マークは１１Ｍであり、そして、第２スペースは１１Ｓである。
【００１４】
このように、異なる配列のパターンを用意することにより、再生信号（再生波形）に基づいて、レーザパワーに依存せず、常に一定な変調度を見つけることができるのである。
【００１５】
【発明の効果】
この発明によれば、記録パワーに依存せずに常に一定な変調度が得られる状態における記録パワーを最適パワーに決定するので、ライトストラテジに拘わらず様々なディスクに対して最適な記録パワーを設定することができる。
【００１６】
この発明の上述の目的，その他の目的，特徴および利点は、図面を参照して行う以下の実施例の詳細な説明から一層明らかとなろう。
【００１７】
【実施例】
図１を参照して、この実施例のディスク装置１０は光ピックアップ１２を含み、この光ピックアップ１２には対物レンズ１４が設けられる。この対物レンズ１４は、トラッキングアクチュエータ１６およびフォーカスアクチュエータ１８によって支持される。レーザダイオード２０から放出されたレーザ光は、図示しない光学系および対物レンズ１４を介してＤＶＤ−Ｒ或いはＤＶＤ−ＲＷのようなディスク２２の記録面に照射される。
【００１８】
なお、ディスク２２はターンテーブル２４の上に搭載（チャッキング）され、スピンドルモータ２６によって回転される。たとえば、ディスク２２はＣＬＶ（Ｃｏｎｓｔａｎｔ　Ｌｉｎｅａｒ　Ｖｅｌｏｃｉｔｙ）方式で回転可能であり、回転数は光ピックアップ１２が内周から外周へ移動するにつれて低下する。
【００１９】
図２に示すように、ディスク２２の記録面には、凸状のランドトラックおよび凹状のグルーブトラックが１トラック毎に交互に形成され、隣接するグルーブトラックの間のランドトラックに所定周期（所定間隔）でランドプリピット（ＬＰＰ）が形成される。
【００２０】
図３（Ａ）および図３（Ｂ）を参照して、ディスク２２の記録面に照射されるレーザ光は、具体的には１つのメインビームＭと２つのサブビームＳ１およびＳ２とからなる。このうち、メインビームＭは所望のトラック（グルーブトラック）に照射され、サブビームＳ１およびＳ２は所望のトラックの両側に隣接するトラック（ランドトラック）に照射される。
【００２１】
ディスク２２の記録面で反射されたレーザ光は、対物レンズ１４および光学系を介して光検出器２８に照射される。メインビームＭは光検出素子２８ａ〜２８ｄによって検出され、サブビームＳ１は光検出素子２８ｅおよび２８ｆによって検出され、そして、サブビームＳ２は光検出素子２８ｇおよび２８ｈによって検出される。
【００２２】
光検出素子２８ａ〜２８ｈで検出されたメインビームＭ、サブビームＳ１およびサブビームＳ２は、それぞれ、電流に変換され、マトリックスアンプ３０に出力される。マトリックスアンプ３０は、光検出器２８（光検出素子２８ａ〜２８ｈ）の出力に対して数１〜数４に示すような周知の演算処理を施し、トラッキングエラ（ＴＥ）信号，フォーカスエラ（ＦＥ）信号、ウォブル（蛇行）信号およびＲＦ信号を、それぞれ検出する。ただし、ＴＥ信号はＤＰＰ（Ｄｉｆｆｅｒｎｔｉａｌ　Ｐｕｓｈ−Ｐｕｌｌ）方式で検出され、ウォブル信号はＰＰ（Ｐｕｓｈ−Ｐｕｌｌ）方式で検出される。
【００２３】
【数１】
ＴＥ＝｛（Ａ＋Ｂ）−（Ｃ＋Ｄ）｝−α｛（Ｅ＋Ｈ）−（Ｆ＋Ｇ）｝
【００２４】
【数２】
ＦＥ＝（Ａ＋Ｃ）−（Ｂ＋Ｄ）
【００２５】
【数３】
ウォブル＝（Ａ＋Ｂ）−（Ｃ＋Ｄ）
【００２６】
【数４】
ＲＦ＝Ａ＋Ｂ＋Ｃ＋Ｄ
なお、数１〜数４における“Ａ”〜“Ｈ”は、それぞれ光検出素子２２ａ〜２２ｈの出力に対応する。
【００２７】
図１に戻って、マトリックスアンプ３０で検出されたＴＥ信号、ＦＥ信号およびウォブル信号は、それぞれ、図示しないＡ／Ｄ変換器を介してＤＳＰ３２に与えられる。ＤＳＰ３２は、ディジタル変換されたＴＥ信号に基づいてトラッキングサーボおよびスレッドサーボを実行し、トラッキングアクチュエータ制御信号およびスレッドモータ制御信号を生成する。生成されたトラッキングアクチュエータ制御信号およびスレッドモータ制御信号は、それぞれ、ドライバ３４ｂおよびドライバ３４ｃによって、トラッキングアクチュエータ制御電圧およびスレッド制御電圧に変換され、トラッキングアクチュエータ１６およびスレッドモータ３６に与えられる。これによって、光学レンズ１４の径方向（スレッド方向）の位置と、スレッドモータ３６の回転速度および回転方向とが制御される。ただし、スレッドモータ３６は、周知のとおり、ラックピニオン方式等により光ピックアップ１２に連結されるため、スレッドサーボにより、光ピックアップ１２の移動方向（移動速度）および位置（変位）が制御される。
【００２８】
また、ＤＳＰ３２は、ディジタル変換されたＦＥ信号に基づいてフォーカスサーボを実行し、フォーカス制御信号を生成する。生成されたフォーカス制御信号はドライバ３４ａによってフォーカス制御電圧に変換され、フォーカスアクチュエータ１８に与えられる。これによって、フォーカスつまり対物レンズ１４の光軸上の位置（レンズ位置）が調整される。つまり、フォーカス方向の位置が調整される。
【００２９】
さらに、ＤＳＰ３２は、ディジタル変換されたウォブル信号に基づいてスピンドルサーボ（以下、「ＣＬＶサーボ」という。）を実行し、スピンドル制御信号を生成する。生成されたスピンドル制御信号はドライバ３４ｄによってスピンドルモータ制御電圧に変換され、スピンドルモータ２６に与えられる。これによって、スピンドルモータ２６（ターンテーブル２４）すなわちディスク２２の回転速度および回転方向が調整される。
【００３０】
ただし、ディスク２２をディスク装置１０に装着した当初では、ディスク２２の信号すなわちウォブル信号を正確に読み取ることができないため、ＦＧパルスによるスピンドルサーボが実行される。つまり、スピンドルモータ２６の回転数がエンコーダ（図示せず）によってパルス変換され、これにより生成されたＦＧパルスがＤＳＰ３２に与えられる。ＤＳＰ３２は、与えられたＦＧパルスに基づいてスピンドルモータ２６の回転数を検出し、所望の回転数になるように、スピンドル制御信号を生成する。生成されたスピンドル制御信号はドライバ３４ｄによってスピンドルモータ制御電圧に変換され、スピンドルモータ２６に与えられる。
【００３１】
このように、ＦＧパルスに基づいてスピンドルサーボ（ＦＧサーボ）を実行することもできるが、ＣＬＶサーボに比べて回転制御が粗い。
【００３２】
また、マトリックスアンプ３０で検出されたＲＦ信号（再生信号）は、エンコーダ／デコーダ３８に与えられる。なお、エンコーダ／デコーダ３８は、エンコードとデコーダとを一体的に形成したＩＣ等である。このエンコーダ／デコーダ３８は、ＣＰＵ４０の指示の下、アドレス検出回路（デコーダ）４２から与えられるアドレス情報に従ってＲＦ信号をデコードし、インターフェイス（Ｉ／Ｆ）を介して図示しないＰＣのようなホストコンピュータに出力する。
【００３３】
デコーダ４２は、図示は省略するが、ＤＶＤ−ＲやＤＶＤ−ＲＷのディスク２２を再生した場合に得られるウォブル信号に含まれる（重畳される）プリピット信号を検出し、このプリピット信号に基づいて検出したアドレス情報および記録時におけるタイミング情報をエンコーダ／デコーダ３８に与える。
【００３４】
また、エンコーダ／デコーダ３８は、ホストコンピュータから入力される信号（記録信号）をエンコードしてピット信号（記録パルス）を生成し、この記録パルスをデコーダ４２からのアドレス情報およびタイミング情報に従ってレーザ駆動回路４４に与える。レーザ駆動回路４４は、ＣＰＵ４０の指示の下、エンコーダ／デコーダ３８から与えられる記録パルスに従ってレーザダイオード２０を駆動する。したがって、ホストコンピュータから与えられた記録信号がディスク２２の記録面の所望の位置（アドレス）に記録される。
【００３５】
たとえば、ＤＶＤ−Ｒ／ＤＶＤ−ＲＷのようなディスク２２では、ＥＦＭ＋変調方式が採用され、記録信号（記録データ）からＲＬＬ（２，１０）の変調記録を実行することによって、変調データが得られる。この変調データは、さらに、ＮＲＺＩ変調され、ＮＲＺＩコードデータが得られる。このＮＲＺＩコードデータには、３Ｔ〜１１Ｔおよび１４Ｔのパルス幅のパルスが存在する。ここで、Ｔはドライブ装置（ディスク装置１０）のチャンネルクロック（この実施例では、２６．１６ＭＨｚ）の逆数（約３８．２ｎｓｅｃ）である。
【００３６】
なお、図示等は省略してあるが、１４Ｔに相当する記録マークは、同期信号としてのみ形成される。
【００３７】
たとえば、標準速記録時においては、図４（Ａ）に示すような変調データがＮＲＺＩ変調され、図４（Ｂ）に示すようなＮＲＺＩコードデータが得られる。変調データは、“０”と“１”とで表されるディジタルデータであり、これがＮＲＺＩ変調（パルス変換）され、ＮＲＺＩコードデータが生成される。
【００３８】
図４（Ｂ）から分かるように、ＮＲＺＩコードデータは、ローレベルの１１Ｔ期間およびハイレベルの１１Ｔ期間に続いて、ローレベルの３Ｔ期間およびハイレベルの３Ｔ期間が交互に設けられる。
【００３９】
このＮＲＺＩコードデータに対応して、最適なレーザパワー（最適パワー）が設定された場合には、図４（Ｃ）に示すような記録パルス（ライトパルス）が生成される。ライトパルスは、３Ｔ期間に相当するトップパルスおよび４Ｔ期間以上におけるマルチパルスによって構成される。つまり、ハイレベルの３Ｔ期間では、トップパルスのみが生成されるが、ハイレベルの１１Ｔ期間では、トップパルスに続いて８個の（８Ｔに対応する）マルチパルスが生成される。また、このようなライトパルスの波高値がレーザパワーＰｏである。上述したように、最適パワーが設定された場合を想定しているため、図面におけるレーザパワーＰｏが最適パワーである。
【００４０】
なお、図中に示す、Ｔｔｏｐはトップパルス幅を示し、Ｔｍｐはマルチパルス幅を示す。以下、この実施例において同じである。
【００４１】
このようなライトパルスに従ってディスク２２に信号が記録されると、ディスク２２には、図４（Ｄ）に示すようなマーク（Ｍ）およびスペース（Ｓ）が形成される。つまり、１１Ｔ期間に相当するスペース（Ｓ）および１１Ｔ期間に相当するマーク（Ｍ）に続いて、３Ｔ期間に相当するスペースおよび３Ｔ期間に相当するマークが交互に形成される。
【００４２】
このような記録マーク等が再生されると、図４（Ｅ）に示すような理想的な再生信号の波形（再生波形）が得られる。さらに、その再生信号を２値化したデータ（再生２値化データ）が図４（Ｆ）のように示される。
【００４３】
ここで、図４（Ｃ）に示すライトパルスに含まれるマルチパルスに着目すると、高速（たとえば、４倍速や８倍速など）での記録時においては、レーザパワーを短時間（短期間）で切り換える必要がある。また、レーザダイオード２０の応答特性が悪い場合には、レーザパワーが上述したような最適パワーＰｏに達しない場合があり、記録特性に多大な影響を与えてしまうことがある。このため、応答特性の優れた高価なレーザダイオード２０（光ピックアップ１２）を用意する必要がある。そこで、この実施例では、ノンマルチパルス方式を採用して、比較的安価な光ピックアップ１２を用いるようにしてある。
【００４４】
具体的には、図５（Ｃ）に示すようなライトパルスが生成される。なお、変調データ、ＮＲＺＩコードデータ、記録マーク、再生波形および再生２値化データは、図４に示した場合と同様であり、詳細な説明については省略する。
【００４５】
図５（Ｃ）に示すように、ＮＲＺＩコードデータのハイレベルの１１Ｔ期間に対応するライトパルスでは、トップパルスに連続してトップパルスよりも波高値の小さいパルス（以下、説明の便宜上、「ノンマルチパルス」という。）が生成される。つまり、３Ｔ期間に相当するトップパルスと８Ｔ期間に相当するノンマルチパルスが一体的（連続的）に生成される。つまり、４Ｔ以上の記録マークを形成する場合には、２段階でレーザパワーが調整される。したがって、マルチパルス方式のように、オン／オフが短期間で繰り返されることがなく、高速記録に対しても高度の応答特性が要求されることがない。
【００４６】
上述したように、４Ｔ以上の記録マークを形成する場合には、ライトパルスは２段階でレーザパワーが調整されるが、レーザパワー（トップパルスの波高値）Ｐｈとレーザパワー（ノンマルチパルスの波高値）Ｐｍとの比が最適である場合に、最適パワーが得られる。このことは、図６（Ａ）および図６（Ｂ）に示すように、Ｐｈ／Ｐｍの値を１．４３，１．３８，１．３０，１．２６にそれぞれ固定して、記録パワーを可変した際の記録特性から導くことができる。ただし、図６（Ａ）は、レーザパワー（記録パワー）Ｐｈとジッタとの関係を示すグラフであり、図６（Ｂ）は、記録パワーＰｈとβ値との関係を示すグラフである。
【００４７】
図６（Ａ）から分かるように、Ｐｈ／Ｐｍの値を変更すると、ボトムジッタが得られる記録パワーも変化するため、Ｐｈ／Ｐｍの値と記録パワーをパラメータとした複数の組み合わせの条件によって信号を記録し、最適なＰｈ／Ｐｍと最適パワーを導出する必要がある。この実験結果からは、実験に用いたディスク装置（光ピックアップ装置）では、最適なＰｈ／Ｐｍの値は１．３０程度であることが分かる。
【００４８】
なお、この実験に用いたディスクを規格書準拠の記録装置によって評価した際の最適Ｐｈ／Ｐｍの値は１．４９であり、図６（Ａ）に示す結果から考察すると、この記録装置では、どの記録パワーであっても最適パワーが得られないことが推測される。
【００４９】
また、図６（Ｂ）において、Ｐｈ／Ｐｍの値が１．３８である場合に、ＯＰＣ（Ｏｐｔｉｍｕｍ　Ｐｏｗｅｒ　Ｃｏｎｔｒｏｌ）　処理を施した場合を想定する。ＯＰＣ処理は、簡単に言うと、ターゲット（目標）とするβ（以下、「ターゲットβ」という。）が得られる記録パワーＰｈを最適記録パワーと判断（決定）する処理である。ＯＰＣ処理におけるターゲットβの値は通常０付近であり、ここではターゲットβを０として考える。図６（Ｂ）を参照して、Ｐｈ／Ｐｍが１．３８である場合に、β＝０となるのは、記録パワーが約２０．８ｍＷであり、これが最適パワーであると判断される。実際に、Ｐｈ／Ｐｍ＝１．３８，Ｐｈ＝２０．８（ｍＷ）の記録条件下で記録を実行すると、図６（Ａ）に示したように、再生ジッタは１２％程度となり、Ｐｈ／Ｐｍ＝１．３８の場合のボトムジッタが約７．６％（Ｐｈ＝１９．４ｍＷ）であるのに対して著しく悪い記録条件であることが分かる。このように、Ｐｈ／Ｐｍの値はＯＰＣ処理を含めた制御系において非常に重要な値であると言え、このＰｈ／Ｐｍの値を最適な値に設定する必要がある。
【００５０】
最適なＰｈ／Ｐｍの値から最適パワーが設定（決定）された場合には、図５（Ｄ）に示すように、ピットの幅が一定であり、適切なピットの長さ（ピット長）の１１Ｔ期間および３Ｔ期間のマークがディスク２２に形成される。つまり、理想的なピットが形成される。
【００５１】
ただし、このようなディスク２２では、製造元（メーカ）によって、その材質等が異なるため、最適な記録条件（記録パワー等）はそれぞれ異なる。したがって、ディスク２２には、最適なライトストラテジを予め記録しておくことが規格化されている。このライトストラテジには、トップパルス幅、マルチパルス幅、ライトパワーや最適記録パワーを導くためのＯＰＣ処理におけるターゲットβ値等の情報が含まれる。したがって、通常、信号の記録を実行する場合には、このようなライトストラテジが読み出され、記録条件が調整される。
【００５２】
しかし、このようなライトストラテジは、規格書に定義された光学系およびレーザ波長を有する光ピックアップ装置を用いて記録した場合における最適な記録条件であり、実際に市販されているディスク装置は、同規格で定義される光学系やレーザ波長とは異なるため、必ずしも最適な記録条件を満たすとは限らない。
【００５３】
このため、ドライブ装置のメーカでは、ドライブ装置の製品化に先立って各メーカのディスクについての最適なライトストラテジを実験により取得して、ドライブ装置に記憶しておくようにしてある。しかし、ドライブ装置に記憶されるライトストラテジでは、予め決定されたトップパルスの幅等の情報に基づいてライトパワーを決定するため、当該トップパルスの波高値Ｐｈ等が適切でない場合には、ＯＰＣ処理を実行したとしても、依然として最適パワーを設定することができなかった。
【００５４】
つまり、ディスク２２やディスク装置１０に記録されたライトストラテジからトップパルスの幅等の情報を得た場合であっても、図７および図８に示すように、トップパルスの波高値Ｐｈとノンマルチパルスの波高値Ｐｍとの比が最適でなければ、ピットの形状が変形してしまい、再生品質に悪影響を与えてしまっていた。
【００５５】
たとえば、図７（Ｃ）に示すように、ノンマルチパルスの波高値Ｐｍが最適値よりも大きい場合には、４Ｔ以降における記録パワーが大き過ぎるため、図７（Ｄ）に示すように、ピット形状が直線的に形成されない。つまり、図５（Ｄ）に示した理想的なピット形状に比べて、時系列に従って次第にピット幅が大きくなり、しかもピット長が長くなってしまう。このため、図７（Ｅ）に示すように、再生波形にずれが生じてしまい、したがって、図７（Ｆ）に示すように、再生２値化データにもずれが生じてしまう。
【００５６】
また、図８（Ｃ）に示すように、ノンマルチパルスの波高値Ｐｍが最適値よりも小さい場合には、４Ｔ以降における記録パワーが小さすぎるため、図８（Ｄ）に示すように、図５（Ｄ）に示した理想的なピット形状に比べて、時系列に従って次第にピット幅が小さくなり、しかもピット長が短くなってしまう。このため、図８（Ｅ）に示すように、再生波形にずれが生じ、したがって、図８（Ｆ）に示すように、再生２値化データにもずれが生じてしまう。
【００５７】
このように、ディスク２２等に予め記録されるライトストレジに従ったＰｈ／Ｐｍ等に基づいてライトパルスを生成しても記録パワーが最適であるとは限らない。そこで、この実施例では、信号の記録処理に先立って、ディスク２２に対して最適パワーを決定するようにしてある。
【００５８】
この実施例では、たとえば、図９（Ａ）に示す検査パターン１および図９（Ｂ）に示す検査パターン２を予め準備した。図９（Ａ）に示すように、検査パターン１は、「１１Ｍ−３Ｓ−４Ｍ−４Ｓ−３Ｍ−１１Ｓ」が繰り返されるパターンであり、３Ｓの直前に１１Ｍが配列されるため、３Ｔ期間に相当する振幅Ｖａ３が記録パワーＰｍの大小関係によって影響を受け易いパターンであると言える（図５、図７および図８参照）。一方、図９（Ｂ）に示すように、検査パターン２は、「１１Ｍ−４Ｓ−３Ｍ−３Ｓ−４Ｍ−１１Ｓ」が繰り返されるパターンであり、３Ｓの直前に３Ｍが配列されるため、３Ｔ期間に相当する振幅Ｖａ３は記録パワーＰｍの大小関係による影響を受けないパターンである（図５、図７および図８参照）。
【００５９】
つまり、検査パターン１および検査パターン２は、同じ種類のマーク（Ｍ）およびスペース（Ｓ）を含んでおり、すなわち、３Ｍ、３Ｓ、４Ｍ、４Ｓ、１１Ｍおよび１１Ｓを含んでおり、それぞれの出現頻度（個数）は同じであるが、互いに異なる配列にされる。
【００６０】
たとえば、記録パワーＰｈを２０ｍＷに固定し、記録パワーＰｍを１４．３ｍＷ〜１６．１ｍＷの間で変化させた場合のパターン１とパターン２とのＩ３　変調度を測定した結果（実験結果）が図１０（Ａ）に示される。なお、図１０（Ａ）および図１０（Ｂ）においては、記録パワーＰｍが１４．３ｍＷ，１４．９ｍＷ，１５．６ｍＷまたは１６．１ｍＷである場合について計測してある。
【００６１】
ここで、Ｉ３　変調度とは、図５、図７および図８に示したような再生信号（ＲＦ信号）のエンベロープから検出される１１Ｔ期間に相当する再生波形の振幅Ｖａ１１に対する３Ｔ期間に相当する再生波形の振幅Ｖａ３の割合をいい、数５に従って算出される。
【００６２】
【数５】
Ｉ３　変調度＝Ｖａ３／Ｖａ１１
なお、ＲＦ信号のエンベロープは、図１に示すエンコーダ／デコーダ３８で検出され、また、振幅Ｖａ１１および振幅Ｖａ３は、ＣＰＵ４０の指示に従って、エンコーダ／デコーダ３８によって計測される。ただし、このようなエンベロープの検出や振幅Ｖａ１１および振幅Ｖａ３を計測するための別個のＩＣを設けるようにしてもよい。
【００６３】
図１０（Ａ）に戻って、検査パターン１では、上述したように、３Ｓの直前に１１Ｍが存在するため、記録パワーＰｍの影響を強く受ける。したがって、たとえば、記録パワーＰｍが不足している場合には、３Ｔ期間に相当する再生波形の振幅Ｖａ３は大きくなり、Ｉ３　変調度も大きくなる。一方、検査パターン２では、記録パワーＰｍの影響が少ないため、Ｉ３　変調度の変化も少なくなる。
【００６４】
ここで、最適な記録パワーは、検査パターン１のＩ３　変調度と検査パターン２のＩ３　変調度が等しい或いは略等しいときのパワーである。すなわち、記録パワーに依存せずに、常に一定な変調度が得られる状態である。この実施例では、検査パターン１についての変調度を結ぶ直線と検査パターン２についての変調度を結ぶ直線との交点におけるレーザパワーは約１５．２ｍＷである。これが、最適な記録パワー（最適パワー）Ｐｍであると判断される。また、このとき、Ｐｈ／Ｐｍの値は、２０ｍＷ／１５．２ｍＷ＝１．３２となる。
【００６５】
また、図１０（Ｂ）は、記録パワーＰｈを２０ｍＷに固定し、Ｐｍパワーを変化された場合のジッタとβとの計測結果であり、記録パワーＰｍのボトムジッタは、１５ｍＷ〜１５．５ｍＷの間で得られることが分かる。つまり、最適パワーＰｍを約１５．２ｍＷであると判断したことが妥当であると言える。
【００６６】
具体的には、図１に示したＣＰＵ４０が、図１１および図１２に示すような記録パワーの決定処理を実行する。図１１に示すように、記録パワーの決定処理が開始されると、ＣＰＵ４０は、ステップＳ１でディスク２２の所定領域（検査領域）すなわちＰＣＡ（Ｐｏｗｅｒ　Ｃａｌｉｂｒａｔｉｏｎ　Ａｒｅａ）をシークする。なお、このようなシーク動作は既に周知であるため、この実施例では、詳細な説明は省略することにする。
【００６７】
次に、ステップＳ３では、記録パワーの初期値を設定する。つまり、記録パワーＰｍにその初期値Ｐｍ０　を代入し、記録パワーＰｈにその初期値Ｐｈ０　を代入する。このような初期値Ｐｍ０　およびＰｈ０　はディスク２２に記録されたライトストラテジから取得するようにしてもよく、また、開発者或いは設計者が実験により取得してディスク装置１０に記憶されたライトストレイジから取得するようにしてもよい。ただし、この実施例では、図１０を用いて説明した実験結果に基づいて、初期値Ｐｍ０　は１４．３ｍＷとし、初期値Ｐｈ０　は約２０ｍＷとしてある。
【００６８】
続くステップＳ５では、図９（Ａ）に示すような検査パターン１を記録する。具体的には、ＣＰＵ４０から図９（Ａ）に示したような変調データがエンコーダ／デコーダ３８に与えられ、エンコーダ／デコーダ３８で変調データがＮＲＺＩコードデータに変調される。続いて、エンコーダ／デコーダ３８は、ＮＲＺＩコードデータに基づいてライトパルスを生成する。つまり、図示は省略するが、図５（Ｃ）を用いて説明したように、４Ｔ以上では２段階でライトパワーが調整されるライトパルスが生成される。そして、エンコーダ／デコーダ３８は、デコーダ４２からのアドレス情報およびタイミング情報に従ってレーザ駆動回路４４にライトパルスを与える。また、このとき、ＣＰＵ４０からレーザ駆動回路４４にレーザダイオード２０の駆動指示が与えられる。したがって、ディスク２２の所定領域の所定位置（第１所定アドレス）に検査パターン１に従うマーク等が記録される。
【００６９】
続いて、ステップＳ７では、図９（Ｂ）に示したような検査パターン２を記録する。このような検査パターン２に従うマーク等は、上述の検査パターン１の場合と同様に、ディスク２２の所定領域の第２所定アドレスに記録される。
【００７０】
次にステップＳ９では、記録した検査パターン１に従う記録マーク等を再生し、Ｉ３　変調度（Ｉ３−０１）を計測する。具体的には、図５、図７および図８に示したように、再生信号（ＲＦ信号）のエンベロープから１１Ｔ期間に相当する再生波形の振幅Ｖａ１１と３Ｔ期間に相当する再生波形の振幅Ｖａ３とを検出し、上述の数５に従ってＩ３　変調度を算出（計測）する。
【００７１】
続いて、ステップＳ１１では、ステップＳ９の処理と同様にして、ディスク２２に記録した検査パターン２に従う記録マーク等を再生し、Ｉ３　変調度（Ｉ３−０２）を計測する。
【００７２】
そして、ステップＳ１３では、Ｉ３　変調度（Ｉ３−０１）とＩ３　変調度（Ｉ３−０２）とが等しいかどうかを判断する。なお、フロー図においては、“＝”で示してあるが、完全に一致する必要はなく、ほぼ一致（近似）している場合も等しいと判断される。この近似する範囲は、開発者や設計者によって予め決定される。
【００７３】
ステップＳ１３で“ＹＥＳ”であれば、つまりＩ３　変調度（Ｉ３−０１）とＩ３　変調度（Ｉ３−０２）とが等しければ、最適パワーが既に設定されていると判断し、図９に示すように、最適パワーの決定処理を終了する。一方、ステップＳ１３で“ＮＯ”であれば、つまりＩ３　変調度（Ｉ３−０１）とＩ３　変調度（Ｉ３−０２）とが等しくなければ、ステップＳ１５でＩ３　変調度（Ｉ３−０１）がＩ３　変調度（Ｉ３−０２）より大きいかどうかを判断する。
【００７４】
ステップＳ１５で“ＮＯ”であれば、つまりＩ３　変調度（Ｉ３−０１）がＩ３　変調度（Ｉ３−０２）よりも小さければ、ステップＳ１７で記録パワーＰｍにＰｍ０　＋Ｐｍｄを代入してから図９に示すステップＳ２１に進む。ここで、Ｐｍｄは記録パワーＰｍの初期値Ｐｍ０　を増減（補正）するパワーであり、この実施例では、図１０を用いて説明したように、初期値Ｐｍ０　は１４．３ｍＷであり、Ｐｍｄは０．６ｍＷに設定される。ただし、図１０に示したように、Ｐｍｄは１．３ｍＷ（Ｐｍ＝１４．９ｍＷ）或いは１．８ｍＷ（Ｐｍ＝１６．１ｍＷ）であってもよい。これは、開発者或いは設計者によって予め決定されるが、記録パワーＰｈ（初期値Ｐｈ０　＝２０ｍＷ）の概ね１割り弱（２ｍＷ弱）の値に設定される。
【００７５】
一方、ステップＳ１５で“ＹＥＳ”であれば、つまりＩ３　変調度（Ｉ３−０１）がＩ３　変調度（Ｉ３−０２）よりも大きければ、ステップＳ１９で記録パワーＰｍにＰｍ０　−Ｐｍｄを代入してから図１２に示すステップＳ２１に進む。
【００７６】
図１２に示すステップＳ２１では、補正された記録パワーＰｍを用いて、ステップＳ５と同様に、検査パターン１に従うマーク等をディスク２２の所定領域の第３所定アドレスに記録する。続いて、ステップＳ２３では、更新された記録パワーＰｍを用いて、ステップＳ７と同様に、検査パターン２に従うマーク等をディスク２２の所定領域の第４アドレスに記録する。
【００７７】
続くステップＳ２５では、第３アドレスに記録された検査パターン１に従う記録マーク等を再生し、ステップＳ９と同様に、Ｉ３　変調度（Ｉ３−１１）を計測し、ステップＳ２７では、第４アドレスに記録された検査パターン２に従う記録マーク等を再生し、ステップＳ１１と同様に、Ｉ３　変調度（Ｉ３−１２）を計測する。
【００７８】
そして、ステップＳ２９で、記録時の２種類の記録パワーＰｍと取得した４つのＩ３　変調度に基づいて最適パワーＰｍａを算出（決定）する。具体的には、図１２に示すように、２種類の記録パワー（Ｐｍ０　およびＰｍ０　＋Ｐｍｄ）に対応して、取得した４つのＩ３　変調度をグラフ上にプロットする。続いて、同じ検査パターンから得られたＩ３　変調度のプロット同士を通る直線を引く（求める）。そして、２つの直線の交点Ａが示す記録パワーＰｍを最適パワーＰｍａに決定する。
【００７９】
なお、図１３においては、２つの直線がＰｍ０　とＰｍ０　＋Ｐｍｄとの間、すなわち直線の線分間に交点Ａが存在するように記載してあるが、図１０に示した実験結果について考えると、Ｐｈ＝２０ｍＷ，Ｐｍ０　＝１４．３ｍＷ，Ｐｍ０＋Ｐｍｄ＝１４．９ｍＷとした場合には、２つの直線の交点はＰｍ０　とＰｍ０　＋Ｐｍｄとの間に存在しない。しかし、プロットを通る直線を求めるため、確実に交点を得ることができる。
【００８０】
その後、ステップＳ３１で、決定した最適パワーＰｍａを記録パワーＰｍに代入して処理を終了する。つまり、記録パワーＰｈを固定した場合おける記録パワーＰｍの最適値を求めることにより、最適なＰｈ／Ｐｍを得ることができる。したがって、その後のＯＰＣ処理で最適パワーＰｈが求められると、最適なＰｈ／Ｐｍに基づいて最適な記録パワーＰｍを設定することができるのである。
【００８１】
この実施例によれば、記録パワーに依存せずに常に一定な変調度が得られる状態を示す場合の記録パワーを用いてＰｈ／Ｐｍの最適な値を求めるので、ライトストラテジに拘わらず個々のディスクに対して最適パワーを設定することができる。したがって、再生品質を劣化させることはない。
【００８２】
なお、この実施例では、ノンマルチパルス方式を採用するようにしたが、これに限定されるべきでない。たとえば、図４に示したようなマルチパルス方式の場合には、トップパルスのパルス幅とマルチパルスのパルス幅との比（デューティ比）が最適となる場合の記録パワーを採用するようにすればよい。
【００８３】
また、この実施例では、パターン１およびパターン２を検査パターンとして用いるようにしたが、これは単なる例示であり、これに限定されるべきでない。
【００８４】
さらに、この実施例では、ディスクとしてはＤＶＤ−ＲやＤＶＤ−ＲＷについてのみ説明したが、他の記録可能なディスクすなわちＭＯ，ＣＤ−Ｒ，ＣＤ−ＲＷやＤＶＤ＋ＲＷなどにも適用できることは言うまでもない。
【図面の簡単な説明】
【図１】この発明の一実施例を示すブロック図である。
【図２】図１実施例に示すディスクの構造の一部を示す図解図である。
【図３】（Ａ）はメインビームおよびサブビームがディスクの記録面に照射されている状態を示す図解図であり、（Ｂ）は光検出器の構成を示す図解図である。
【図４】マルチパルス方式を採用した場合における記録再生特性の一例を示す図解図である。
【図５】ノンパルス方式を採用した場合における記録再生特性の一例を示す図解図である。
【図６】４倍速記録において、Ｐｈ／Ｐｍを４つの値で固定して、記録パワーを可変した場合の記録特性を示す図解図であある。
【図７】ノンパルス方式を採用した場合における記録再生特性の他の一例を示す図解図である。
【図８】ノンパルス方式を採用した場合における記録再生特性のその他の一例を示す図解図である。
【図９】記録パワーの決定処理において用いられる検査パターンの一例を示す図解図である。
【図１０】（Ａ）は記録パワーＰｈを固定して、記録パワーＰｍを変化させた場合おける検査パターンについての変調度および検査パターン２についての変調度を測定した結果を示すグラフであり、（Ｂ）は記録パワーＰｈを固定して、記録パワーＰｍを変化させた場合におけるジッタとβとを測定した結果を示すグラフである。
【図１１】図１実施例に示すＣＰＵの記録パワー決定処理の一部を示すフロー図である。
【図１２】図１実施例に示すＣＰＵの記録パワー決定処理の他の一部を示すフロー図である。
【図１３】記録パワーＰｍの最適パワーの決定方法を説明するための図解図である。
【符号の説明】
１０　…ディスク装置
１２　…光ピックアップ
３０　…マトリックスアンプ
３２　…ＤＳＰ
４０　…ＣＰＵ
４２　…アドレス検出回路（デコーダ）
【図１】
2004110995.tif 000003
【図２】
2004110995.tif 000004
【図３】
2004110995.tif 000005
【図４】
2004110995.tif 000006
【図５】
2004110995.tif 000007
【図６】
2004110995.tif 000008
【図７】
2004110995.tif 000009
【図８】
2004110995.tif 000010
【図９】
2004110995.tif 000011
【図１０】
2004110995.tif 000012
【図１１】
2004110995.tif 000013
【図１２】
2004110995.tif 000014
【図１３】
2004110995.tif 000015